(57)【特許請求の範囲】
【請求項１】
第１の画面または第２の画面を表示する表示部と、
文字列を所定の条件と関連づけて記憶する記憶部と、
前記所定の条件が満たされた状態において、
前記表示部に前記第１の画面が表示されている場合に、前記文字列を前記第１の画面に重畳して表示させ、
前記表示部に前記第２の画面が表示されている場合に、前記文字列を前記第２の画面に重畳して表示させない制御部と
を備え、
前記記憶部に記憶される文字列は、起動可能な機能と関連づけられた文字列を含み、
前記制御部は、前記第１の画面に重畳して表示された前記文字列が選択され、当該文字列に起動可能な機能が関連づけられている場合に、当該機能を起動させ、
前記制御部は、前記第１の画面に重畳して表示された前記文字列が選択され、当該文字列に機能が関連づけられていない場合に、前記文字列を編集するための機能を起動させることを特徴とする携帯電子機器。
【請求項２】
前記制御部は、前記文字列に関連づけられた機能を起動させた後に前記表示部に前記第１の画面が表示された場合に、当該文字列の表示を消去させることを特徴とする請求項１に記載の携帯電子機器。
【請求項３】
前記制御部は、前記文字列を前記第１の画面に重畳して表示させた後に前記所定の条件が満たされなくなった場合に、当該文字列の表示を消去させることを特徴とする請求項１または２に記載の携帯電子機器。
【請求項４】
前記記憶部は、前記文字列と画像とを対応づけて記憶し、
前記制御部は、前記文字列と対応づけて、当該文字列と対応づけて記憶された前記画像を前記第１の画面に重畳して表示させ、当該画像が選択された場合に、当該画像に対応する前記文字列に関連づけられた機能を起動させることを特徴とする請求項１から３のいずれか１項に記載の携帯電子機器。
【請求項５】
第１の画面または第２の画面を表示する表示部と、
文字列を所定の条件と関連づけて記憶する記憶部と、
前記所定の条件が満たされた状態において、
前記表示部に前記第１の画面が表示されている場合に、前記文字列を前記第１の画面に重畳して表示させ、
前記表示部に前記第２の画面が表示されている場合に、前記文字列を前記第２の画面に重畳して表示させない制御部と
を備え、
前記記憶部に記憶される文字列は、起動可能な機能と関連づけられた文字列を含み、
前記制御部は、前記第１の画面に重畳して表示された前記文字列が選択され、当該文字列に起動可能な機能が関連づけられている場合に、当該機能を起動させ、
前記記憶部は、前記文字列と画像とを対応づけて記憶し、
前記制御部は、前記文字列と対応づけて、当該文字列と対応づけて記憶された前記画像を前記第１の画面に重畳して表示させ、当該画像が選択された場合に、当該画像に対応する前記文字列に関連づけられた機能を起動させ、
前記所定の条件は、第１の条件および第２の条件を含み、
前記制御部は、前記第１の条件が満たされた場合に、前記文字列に対応づけて記憶された前記画像を前記第１の画面に重畳して表示させ、さらに前記第２の条件が満たされた場合に、前記文字列を前記第１の画面に重畳して表示させることを特徴とする携帯電子機器。
【請求項６】
前記制御部は、前記表示部に前記第２の画面が表示されているとき、または、前記表示部が非表示であるときに前記所定の条件が満たされた場合に、振動、音、光、または、前記第２の画面が表示された前記表示部以外への情報の表示の少なくとも１つを用いて報知することを特徴とする請求項１から５のいずれか１項に記載の携帯電子機器。
【請求項７】
前記制御部は、前記所定の条件として、時刻に関する条件を前記文字列と対応づけて前記記憶部に記憶させることを特徴とする請求項１から６のいずれか１項に記載の携帯電子機器。
【請求項８】
第１の画面または第２の画面を表示する表示部を備える携帯電子機器による通知制御方法であって、
文字列を所定の条件と関連づけて記憶部に記憶させるステップと、
前記所定の条件が満たされたか否かを判定するステップと、
前記所定の条件が満たされた状態において、
前記表示部に前記第１の画面が表示されている場合に、前記文字列を前記第１の画面に重畳して表示させ、
前記表示部に前記第２の画面が表示されている場合に、前記文字列を前記第２の画面に重畳して表示させないステップと、
前記第１の画面に重畳して表示された前記文字列が選択され、当該文字列に起動可能な機能が関連づけられている場合に、当該機能を起動させ、
前記第１の画面に重畳して表示された前記文字列が選択され、当該文字列に機能が関連づけられていない場合に、前記文字列を編集するための機能を起動させるステップと
を含むことを特徴とする通知制御方法。
【請求項９】
第１の画面または第２の画面を表示する表示部を備える携帯電子機器に、
文字列を所定の条件と関連づけて記憶部に記憶させるステップと、
前記所定の条件が満たされたか否かを判定するステップと、
前記所定の条件が満たされた状態において、
前記表示部に前記第１の画面が表示されている場合に、前記文字列を前記第１の画面に重畳して表示させ、
前記表示部に前記第２の画面が表示されている場合に、前記文字列を前記第２の画面に重畳して表示させないステップと、
前記第１の画面に重畳して表示された前記文字列が選択され、当該文字列に起動可能な機能が関連づけられている場合に、当該機能を起動させ、
前記第１の画面に重畳して表示された前記文字列が選択され、当該文字列に機能が関連づけられていない場合に、前記文字列を編集するための機能を起動させるステップと
を実行させることを特徴とする通知プログラム。
【請求項１０】
第１の画面または第２の画面を表示する表示部を備える携帯電子機器による通知制御方法であって、
文字列を所定の条件と関連づけて記憶部に記憶させるステップと、
前記所定の条件が満たされたか否かを判定するステップと、
前記所定の条件が満たされた状態において、
前記表示部に前記第１の画面が表示されている場合に、前記文字列を前記第１の画面に重畳して表示させ、
前記表示部に前記第２の画面が表示されている場合に、前記文字列を前記第２の画面に重畳して表示させないステップと、
前記第１の画面に重畳して表示された前記文字列が選択され、当該文字列に起動可能な機能が関連づけられている場合に、当該機能を起動させるステップと、
前記文字列と画像とを対応づけて前記記憶部に記憶させるステップと、
前記文字列と対応づけて、当該文字列と対応づけて記憶された前記画像を前記第１の画面に重畳して表示させ、当該画像が選択された場合に、当該画像に対応する前記文字列に関連づけられた機能を起動させるステップと、
前記所定の条件が第１の条件および第２の条件を含み、前記第１の条件が満たされた場合に、前記文字列に対応づけて記憶された前記画像を前記第１の画面に重畳して表示させ、さらに前記第２の条件が満たされた場合に、前記文字列を前記第１の画面に重畳して表示させるステップと
を含むことを特徴とする通知制御方法。
【請求項１１】
第１の画面または第２の画面を表示する表示部を備える携帯電子機器に、
文字列を所定の条件と関連づけて記憶部に記憶させるステップと、
前記所定の条件が満たされたか否かを判定するステップと、
前記所定の条件が満たされた状態において、
前記表示部に前記第１の画面が表示されている場合に、前記文字列を前記第１の画面に重畳して表示させ、
前記表示部に前記第２の画面が表示されている場合に、前記文字列を前記第２の画面に重畳して表示させないステップと、
前記第１の画面に重畳して表示された前記文字列が選択され、当該文字列に起動可能な機能が関連づけられている場合に、当該機能を起動させるステップと、
前記文字列と画像とを対応づけて前記記憶部に記憶させるステップと、
前記文字列と対応づけて、当該文字列と対応づけて記憶された前記画像を前記第１の画面に重畳して表示させ、当該画像が選択された場合に、当該画像に対応する前記文字列に関連づけられた機能を起動させるステップと、
前記所定の条件が第１の条件および第２の条件を含み、前記第１の条件が満たされた場合に、前記文字列に対応づけて記憶された前記画像を前記第１の画面に重畳して表示させ、さらに前記第２の条件が満たされた場合に、前記文字列を前記第１の画面に重畳して表示させるステップと
を実行させることを特徴とする通知プログラム。
【発明の詳細な説明】
【技術分野】
【０００１】
本発明は、携帯電子機器、通知制御方法および通知プログラムに関する。
【背景技術】
【０００２】
スケジュール機能やアラーム機能等の通知機能を有する電子機器が知られている。通知機能を有する電子機器は、日時と文字列とが対応づけられた通知データを記憶し、現在日時が通知データとして記憶される日時に達した場合に、その日時に対応づけられた文字列を表示部に表示させる（例えば、特許文献１）。
【先行技術文献】
【特許文献】
【０００３】
【特許文献１】特開２００６−２０２１８３号公報
【発明の概要】
【発明が解決しようとする課題】
【０００４】
上記のような従来技術による通知は、利用者が電子機器を用いて何らかの処理を実行している最中に行われる場合がある。このような場合、通知によって利用者が実行中の処理が妨げられると、利用者の利便性が損なわれるおそれがある。
【０００５】
本発明は、上記に鑑みてなされたものであって、利用者が実行中の処理を妨げることなく通知を行うことができる携帯電子機器、通知制御方法および通知プログラムを提供することを目的とする。
【課題を解決するための手段】
【０００６】
上述した課題を解決し、目的を達成するために、本発明は、携帯電子機器であって、第１の画面または第２の画面を表示する表示部と、文字列を所定の条件と関連づけて記憶する記憶部と、前記所定の条件が満たされた状態において、前記表示部に前記第１の画面が表示されている場合に、前記文字列を前記第１の画面に重畳して表示させ、前記表示部に前記第２の画面が表示されている場合に、前記文字列を前記第２の画面に重畳して表示させない制御部とを備えることを特徴とする。
【０００７】
ここで、前記記憶部に記憶される文字列は、起動可能な機能と関連づけられた文字列を含み、前記制御部は、前記第１の画面に重畳して表示された前記文字列が選択され、当該文字列に起動可能な機能が関連づけられている場合に、当該機能を起動させることが好ましい。
【０００８】
また、前記制御部は、前記第１の画面に重畳して表示された前記文字列が選択され、当該文字列に機能が関連づけられていない場合に、前記文字列を編集するための機能を起動させることが好ましい。
【０００９】
また、前記制御部は、前記文字列に関連づけられた機能を起動させた後に前記表示部に前記第１の画面が表示された場合に、当該文字列を消去させることが好ましい。
【００１０】
また、前記制御部は、前記文字列を前記第１の画面に重畳して表示させた後に前記所定の条件が満たされなくなった場合に、当該文字列を消去させることが好ましい。
【００１１】
また、前記記憶部は、前記文字列と画像とを対応づけて記憶し、前記制御部は、前記文
字列と対応づけて、当該文字列と対応づけて記憶された前記画像を前記第１の画面に重畳して表示させ、当該画像が選択された場合に、当該画像に対応する前記文字列に関連づけられた機能を起動させることが好ましい。
【００１２】
また、前記所定の条件は、第１の条件および第２の条件を含み、前記制御部は、前記第１の条件が満たされた場合に、前記文字列に対応づけて記憶された前記画像を前記第１の画面に重畳して表示させ、さらに前記第２の条件が満たされた場合に、前記文字列を前記第１の画面に重畳して表示させることが好ましい。
【００１３】
また、前記制御部は、前記表示部に前記第２の画面が表示されているとき、または、前記表示部が非表示であるときに前記所定の条件が満たされた場合に、振動、音、光、または、前記第２の画面が表示された前記表示部以外への情報の表示の少なくとも１つを用いて報知することが好ましい。
【００１４】
また、前記制御部は、前記所定の条件として、時刻に関する条件を前記文字列と対応づけて前記記憶部に記憶させることが好ましい。
【００１５】
また、現在位置を取得する位置取得部をさらに備え、前記制御部は、前記所定の条件として、現在位置に関する条件を前記文字列と対応づけて前記記憶部に記憶させることが好ましい。
【００１６】
また、上述した課題を解決し、目的を達成するために、本発明は、第１の画面または第２の画面を表示する表示部を備える携帯電子機器による通知制御方法であって、文字列を所定の条件と関連づけて記憶部に記憶させるステップと、前記所定の条件が満たされたか否かを判定するステップと、前記所定の条件が満たされた状態において、前記表示部に前記第１の画面が表示されている場合に、前記文字列を前記第１の画面に重畳して表示させ、前記表示部に前記第２の画面が表示されている場合に、前記文字列を前記第２の画面に重畳して表示させないステップとを含むことを特徴とする。
【００１７】
また、上述した課題を解決し、目的を達成するために、本発明は、通知プログラムであって、第１の画面または第２の画面を表示する表示部を備える携帯電子機器に、文字列を所定の条件と関連づけて記憶部に記憶させるステップと、前記所定の条件が満たされたか否かを判定するステップと、前記所定の条件が満たされた状態において、前記表示部に前記第１の画面が表示されている場合に、前記文字列を前記第１の画面に重畳して表示させ、前記表示部に前記第２の画面が表示されている場合に、前記文字列を前記第２の画面に重畳して表示させないステップとを実行させることを特徴とする。
【発明の効果】
【００１８】
本発明に係る携帯電子機器、通知制御方法および通知プログラムは、利用者が実行中の処理を妨げることなく通知を行うことができるという効果を奏する。
【図面の簡単な説明】
【００１９】
【図１】図１は、携帯電話端末の外観を示す正面図である。
【図２】図２は、日時に基づく通知の例を示す図である。
【図３】図３は、位置に基づく通知の例を示す図である。
【図４】図４は、携帯電話端末の機能的な構成を示すブロック図である。
【図５】図５は、通知データの一例を示す図である。
【図６】図６は、制御部による通知処理の処理手順を示すフロー図である。
【図７】図７は、制御部による機能起動処理の処理手順を示すフロー図である。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、電子機器の一例として、携帯電話端末を取り上げるが、本発明の適用対象は携帯電話端末に限定されるものではない。本発明は、例えば、ＰＨＳ（Personal  Handy-phone
System）、パソコン、携帯情報端末、ゲーム機等に対しても適用できる。
【００２１】
（実施形態）
まず、図１を参照しながら、本発明に係る電子機器の一実施形態である携帯電話端末１の外観について説明する。図１は、携帯電話端末１の外観を示す正面図である。図１に示すように、携帯電話端末１は、筐体１Ｃが複数の筐体で構成される。具体的には、筐体１Ｃは、第１筐体１ＣＡと第２筐体１ＣＢとで開閉可能に構成される。すなわち、携帯電話端末１は、折り畳み式の筐体を有する。
【００２２】
なお、携帯電話端末１の筐体は、このような構造に限定されるものではない。例えば、携帯電話端末１の筐体は、両方の筐体を重ね合わせた状態から一方の筐体と他方の筐体とを互いにスライドできるようにしたスライド式の筐体であってもよい。また、重ね合わせ方向に沿う軸線を中心に、一方の筐体を回転させるようにした回転式や、２軸ヒンジを介して両方の筐体を連結したものでもよい。
【００２３】
第１筐体１ＣＡおよび第２筐体１ＣＢは、連結部であるヒンジ機構８で連結される。ヒンジ機構８で第１筐体１ＣＡと第２筐体１ＣＢとを連結することにより、第１筐体１ＣＡおよび第２筐体１ＣＢは、ヒンジ機構８を中心として、相対的に回動できる。
【００２４】
第１筐体１ＣＡには、表示部２と、通話時に音声を出力する出力手段であるレシーバ１６とが設けられる。表示部２は、待受画面や各種の機能画面を表示する。ここで、機能画面とは、携帯電話端末１が提供する通話機能、メール機能等の各種機能の実行中に表示される画面であり、対応する機能に対する指示を受け付けたり、対応する機能が提供する情報を提示したりするために用いられる。機能画面は、本発明における第２の画面の例である。機能画面は、例えば、アプリケーション画面と呼ばれることもある。
【００２５】
また、待受画面とは、通話機能、メール機能等の各種機能の実行を待ち受けている状態の画面である。換言すると、待受画面は、携帯電話端末１が提供する各種機能画面へ画面が変わる前の画面である。また、待受画面は、携帯電話端末１にインストールされているアプリケーションのうち、どのアプリケーションを実行するかを利用者に選択させる画面であるとも言える。携帯電話端末１は、待受画面で選択されたアプリケーション（機能）を実行し、アプリケーション画面（機能画面）を表示部２に表示させる。待受画面は、本発明における第１の画面の例である。なお、待受画面は、例えば、初期画面、標準画面、デスクトップ画面、ホーム画面、または、壁紙と呼ばれることもある。
【００２６】
また、以下の説明において、表示部２に待受画面４０が表示されていない場合には、表示部２に機能画面が表示されている場合に加えて、表示部２が非表示となっている場合が含まれるものとする。表示部２が非表示となっている場合とは、例えば、携帯電話端末１が折り畳まれて表示部２が第２筐体１ＣＢに覆い隠されている場合や、省電力のために表示部２への電源供給が一時的に停止されている場合である。
【００２７】
第２筐体１ＣＢには、通話相手の電話番号等を入力するための操作キー１３Ａが複数設けられ、また、表示部２に表示されるメニューの選択等を実行するための方向および決定キー１３Ｂが設けられる。操作キー１３Ａと、方向および決定キー１３Ｂとは、携帯電話端末１の操作部１３を構成する。また、第２筐体１ＣＢには、携帯電話端末１の通話時に音声を受け取る音声取得手段であるマイク１５が設けられる。
【００２８】
なお、操作部１３は、例えば、タッチセンサや加速度センサ等の各種センサから構成されていてもよいし、これらのセンサと、操作キー１３Ａ等の物理的なキーまたはボタンと
から構成されていてもよい。また、タッチパネルのように、操作部１３が、表示部２等の他の部位と一体に構成されていてもよい。
【００２９】
次に、図２および図３を参照しながら、携帯電話端末１が有する通知機能について説明する。図２は、日時に基づく通知の例を示す図である。図２に示す例において、携帯電話端末１の利用者は、所定の時間に鈴木さんへ電話をすることになっているものとする。そのために、携帯電話端末１は、指定日時が到来した場合に、鈴木さんの電話番号へ発信すべき旨の通知を行うように設定されている。また、携帯電話端末１は、指定日時の１０分前に予備的な通知を行うように設定されている。
【００３０】
上記のような設定がされた後、携帯電話端末１の表示部２には、例えば、ステップＳ１１のような待受画面４０が表示される。ステップＳ１１では、無地の背景画像が待受画面４０として表示されている。また、表示部２の上方には、帯状のピクト領域２ａが設けられており、バッテリの残量や受信電波の強度を示す画像がそこに表示されている。
【００３１】
ここで、表示部２に待受画面４０が表示されている状態で指定日時の１０分前になると、携帯電話端末１は、ステップＳ１２のように、設定に従って、アイコン４１ａを待受画面４０に重畳して表示させる。アイコン４１ａは、待受画面４０の一部を占める比較的小さな画像であり、指定時間に行う通知の内容を示すように電話のシンボルを含んでいる。
【００３２】
そして、表示部２に待受画面４０が表示されている状態で指定日時が到来すると、携帯電話端末１は、ステップＳ１３のように、設定に従って、「鈴木さんへ電話」という文字列４１ｂをアイコン４１ａと対応づけて待受画面４０に重畳して表示させる。文字列４１ｂは、所定の電話番号へ発信する機能と関連づけられている。携帯電話端末１は、操作部１３の操作によってアイコン４１ａまたは文字列４１ｂが選択されると、ステップＳ１４のように、所定の電話番号へ発信するための機能画面である発信画面５１を表示部２に表示させる。
【００３３】
このように、携帯電話端末１は、指定日時が到来すると、予め設定された文字列４１ｂを待受画面４０に重畳して表示させることによって、指定時間の到来を利用者に通知する。このため、利用者は、指定日時が到来したことと、その指定日時が何のための日時であるかを知ることができる。
【００３４】
また、携帯電話端末１は、待受画面４０に表示されたアイコン４１ａまたは文字列４１ｂが選択されると、文字列４１ｂに関連づけられた機能を起動させる。このため、利用者は、指定日時が到来した場合に、予め設定された機能を簡単に起動させることができる。
【００３５】
また、携帯電話端末１は、指定日時が到来するのに先だって、予備的な通知として、アイコン４１ａを待受画面４０に重畳して表示させる。このため、利用者は、指定日時が近いことを知ることができる。また、待受画面４０には、時計やカレンダ等が表示されることがあるが、アイコン４１ａは比較的小さい画像であるため、待受画面４０に表示されている時計等の視認性を損なう可能性が低い。
【００３６】
表示部２に表示されている画面が待受画面４０でない場合、すなわち、表示部２に表示されている画面が機能画面である場合に指定日時が到来すると、携帯電話端末１は、以下のような制御を実行する。上記のような設定がされた後、利用者がメールを閲覧するための操作を行うと、携帯電話端末１は、例えば、ステップＳ１５のようなメール閲覧画面５２を表示部２に表示させる。メール閲覧画面５２等の機能画面が表示される場合にも、表示部２の上方には、帯状のピクト領域２ａが設けられる。
【００３７】
メール閲覧画面５２が表示されている状態で指定日時の１０分前になると、携帯電話端末１は、ステップＳ１６のように、設定に従って、アイコン４１ｃをピクト領域２ａに表示させる。アイコン４１ｃは、アイコン４１ａと同様の電話のシンボルを含む比較的小さな画像である。
【００３８】
このように、携帯電話端末１は、表示部２にメール閲覧画面５２等の機能画面が表示されている場合は、予備的な通知として、アイコン４１ａを機能画面に重畳して表示させるのではなく、アイコン４１ｃをピクト領域２ａに表示させる。このため、利用者は、機能画面の操作性や視認性が維持されたままで、指定日時が近いことを知ることができる。
【００３９】
なお、ここではアイコン４１ｃをピクト領域２ａに表示しているが、メール閲覧画面５２等の機能画面の表示領域以外であればどこにアイコン４１ｃを表示してもよい。例えば、表示部２の下部にステータスやファンクションキーに関する情報を表示する領域があれば、そこにアイコン４１ｃを表示してもよい。また、第１筐体１ＣＡの背面にサブディスプレイが備わっている場合は、サブディスプレイにアイコン４１ｃを表示してもよい。また、アイコン４１ｃに替えて、文字列等を表示してもよい。
【００４０】
そして、表示部２にメール閲覧画面５２が表示されている状態で指定日時が到来すると、携帯電話端末１は、ステップＳ１７のように、携帯電話端末１自体を振動させることによって、指定時間の到来を利用者に通知する。
【００４１】
このように、携帯電話端末１は、表示部２にメール閲覧画面５２等の機能画面が表示されている場合は、指定時間の到来を通知するために、文字列４１ｂを機能画面に重畳して表示させるのではなく、携帯電話端末１自体を振動させる。このため、利用者は、機能画面の操作性や視認性が維持されたままで、指定時間の到来を知ることができる。
【００４２】
そして、指定時間の到来を知った利用者がメール閲覧画面５２等の機能画面を閉じると、携帯電話端末１は、ステップＳ１３のように、アイコン４１ａおよび文字列４１ｂが重畳された待受画面４０を表示部２に表示させる。ここで、利用者が操作部１３を操作してアイコン４１ａまたは文字列４１ｂを選択すると、携帯電話端末１は、ステップＳ１４のように、所定の電話番号へ発信するための機能画面である発信画面５１を表示部２に表示させる。
【００４３】
図２では、日時に基づく通知の例を示したが、携帯電話端末１は、位置に基づく通知も行う。図３は、位置に基づく通知の例を示す図である。携帯電話端末１の利用者は、所定の場所に着いた場合に待ち合わせ相手の田中さんへメールを送信することになっているものとする。そのために、携帯電話端末１は、現在位置が指定場所に到達した場合に、田中さんのアドレスへメールを送信すべき旨の通知を行うように設定されている。また、携帯電話端末１は、現在位置が指定場所まで５００ｍ以内になった場合に予備的な通知を行うように設定されている。
【００４４】
上記のような設定がされた後、携帯電話端末１の表示部２には、例えば、ステップＳ２１のような待受画面４０が表示される。表示部２の上方には、帯状のピクト領域２ａが設けられている。
【００４５】
ここで、表示部２に待受画面４０が表示されている状態で現在位置が指定場所まで５００ｍ以内になると、携帯電話端末１は、ステップＳ２２のように、設定に従って、アイコン４２ａを待受画面４０に重畳して表示させる。アイコン４２ａは、待受画面４０の一部を占める比較的小さな画像であり、指定場所で行う通知の内容を示すようにメールのシンボルを含んでいる。
【００４６】
そして、表示部２に待受画面４０が表示されている状態で現在位置が指定場所に到達すると、携帯電話端末１は、ステップＳ２３のように、設定に従って、「田中さんへメール」という文字列４２ｂをアイコン４２ａと対応づけて待受画面４０に重畳して表示させる。文字列４２ｂは、所定のアドレスへメールを送信する機能と関連づけられている。携帯電話端末１は、操作部１３の操作によってアイコン４２ａまたは文字列４２ｂが選択されると、ステップＳ２４のように、所定のアドレスへメールを送信するための機能画面であるメール送信画面５３を表示部２に表示させる。
【００４７】
このように、携帯電話端末１は、現在位置が指定場所に到達すると、予め設定された文字列４２ｂを待受画面４０に重畳して表示させることによって、指定場所への到着を利用者に通知する。このため、利用者は、指定場所へ到着したことと、その指定場所が何のための場所であるかを知ることができる。
【００４８】
また、携帯電話端末１は、待受画面４０に表示されたアイコン４２ａまたは文字列４２ｂが選択されると、文字列４２ｂに関連づけられた機能を起動させる。このため、利用者は、指定場所へ到着した場合に、予め設定された機能を簡単に起動させることができる。
【００４９】
また、携帯電話端末１は、指定場所へ到着するのに先だって、予備的な通知として、アイコン４２ａを待受画面４０に重畳して表示させる。このため、利用者は、指定場所が近いことを知ることができる。また、待受画面４０には、時計やカレンダ等が表示されることがあるが、アイコン４２ａは比較的小さい画像であるため、待受画面４０に表示されている時計等の視認性を損なう可能性が低い。
【００５０】
表示部２に表示されている画面が待受画面４０でない場合、すなわち、表示部２に表示されている画面が機能画面である場合に指定場所へ到着すると、携帯電話端末１は、以下のような制御を実行する。上記のような設定がされた後、利用者がメールを閲覧するための操作を行うと、携帯電話端末１は、例えば、ステップＳ２５のようなメール閲覧画面５２を表示部２に表示させる。
【００５１】
メール閲覧画面５２が表示されている状態で現在位置が指定場所まで５００ｍ以内になると、携帯電話端末１は、ステップＳ２６のように、設定に従って、アイコン４２ｃをピクト領域２ａに表示させる。アイコン４２ｃは、アイコン４２ａと同様のメールのシンボルを含む比較的小さな画像である。
【００５２】
このように、携帯電話端末１は、表示部２にメール閲覧画面５２等の機能画面が表示されている場合は、予備的な通知として、アイコン４２ａを機能画面に重畳して表示させるのではなく、アイコン４２ｃをピクト領域２ａに表示させる。このため、利用者は、機能画面の操作性や視認性が維持されたままで、指定場所が近いことを知ることができる。
【００５３】
そして、表示部２にメール閲覧画面５２が表示されている状態で現在位置が指定場所に到達すると、携帯電話端末１は、ステップＳ２７のように、携帯電話端末１自体を振動させることによって、指定場所への到達を利用者に通知する。
【００５４】
このように、携帯電話端末１は、表示部２にメール閲覧画面５２等の機能画面が表示されている場合は、指定場所への到達を通知するために、文字列４２ｂを機能画面に重畳して表示させるのではなく、携帯電話端末１自体を振動させる。このため、利用者は、機能画面の操作性や視認性が維持されたままで、指定場所への到達を知ることができる。
【００５５】
そして、指定場所への到達を知った利用者がメール閲覧画面５２等の機能画面を閉じる
と、携帯電話端末１は、ステップＳ２３のように、アイコン４２ａおよび文字列４２ｂが重畳された待受画面４０を表示部２に表示させる。ここで、利用者が操作部１３を操作してアイコン４２ａまたは文字列４２ｂを選択すると、携帯電話端末１は、ステップＳ２４のように、所定のアドレスへメールを送信するための機能画面であるメール送信画面５３を表示部２に表示させる。
【００５６】
次に、図４を参照しながら、携帯電話端末１の機能的な構成について説明する。図４は、携帯電話端末１の機能的な構成を示すブロック図である。図４に示すように、携帯電話端末１は、制御部２２と、記憶部２４と、通信部２６と、操作部１３と、音声処理部３０と、表示部２と、位置取得部３２と、筐体振動部３４とを有する。
【００５７】
記憶部２４は、各種情報を記憶する記憶装置である。記憶部２４は、携帯電話端末１内に固定的に設けられたフラッシュメモリ等の半導体に情報を記憶させるものであってもよいし、メモリカード等の取り出し可能な記憶媒体と、記憶媒体の読み書き装置との組み合わせとして構成されていてもよい。
【００５８】
記憶部２４には、制御部２２での処理に利用されるデータやプログラムが記憶される。記憶部２４に記憶されるプログラムには、メールプログラム２４ａと、通知プログラム２４ｂとが含まれる。また、記憶部２４に記憶されるデータには、通知データ２４ｃが含まれる。メールプログラム２４ａは、メールの送信、受信、編集、閲覧等の機能を実現するためのプログラムである。通知プログラム２４ｂは、上述したような通知機能を実現するためのプログラムである。通知データ２４ｃは、通知プログラム２４ｂによる通知機能によって用いられる設定データである。
【００５９】
通信部２６は、アンテナ２６ａを有し、基地局によって割り当てられるチャネルを介し、基地局との間でＣＤＭＡ方式等による無線信号回線を確立し、基地局との間で電話通信および情報通信を行う。操作部１３は、操作キー１３Ａと、方向および決定キー１３Ｂとを含み、これらのキーやボタンが利用者によって操作されると、その操作内容に対応する信号を発生させる。そして、発生した信号は、利用者の指示として制御部２２へ入力される。
【００６０】
音声処理部３０は、マイク１５に入力される音声信号やレシーバ１６から出力される音声信号の処理を実行する。表示部２は、液晶ディスプレイ（ＬＣＤ、Liquid Crystal Display）や、有機ＥＬ（Organic Electro-Luminescence）パネル等で構成された表示パネルを備え、制御部２２の制御に基づいて待受画面や各種の機能画面等を表示パネルに表示させる。
【００６１】
位置取得部３２は、携帯電話端末１の現在位置を取得する。現在位置は、例えば、ＧＰＳ（Global Positioning System）、無線信号回線を確立している基地局等に基づいて取
得される。筐体振動部３４は、携帯電話端末１を振動させる。
【００６２】
制御部２２は、携帯電話端末１の全体的な動作を統括的に制御する。すなわち、制御部２２は、携帯電話端末１の各種の処理が、操作部１３の操作や携帯電話端末１の記憶部２４に記憶されるソフトウェアに応じて適切な手順で実行されるように、通信部２６や、音声処理部３０や、表示部２等の動作を制御する。
【００６３】
制御部２２は、記憶部２４に記憶されているコンピュータプログラム（例えば、オペレーティングシステムプログラム、アプリケーションプログラム等）に基づいて処理を実行する。制御部２２は、例えば、マイクロプロセッサユニット（ＭＰＵ：Micro  Processing  Unit）で構成され、コンピュータプログラムに定義された手順に従って携帯電話端末
１の各種の処理を実行する。すなわち、制御部２２は、記憶部２４に記憶されるコンピュータプログラムから命令列を順次読み込んで処理を実行する。
【００６４】
制御部２２は、携帯電話端末１の制御の一部として、通知プログラム２４ｂに含まれる命令列を順次読み込み、通知データ２４ｃに設定されている情報を参照することにより、上述したような通知機能を実現させる。
【００６５】
次に、図５を参照しながら、図４に示した通知データ２４ｃについてさらに詳しく説明する。図５は、通知データ２４ｃの一例を示す図である。図５に示すように、通知データ２４ｃは、条件種別、第１条件、第２条件、削除条件、表示文字列、画像データ、機能、パラメータ、表示状態といった項目を有する。
【００６６】
条件種別の項目には、日時に基づいて通知を行うのか位置に基づいて通知を行うのかの別を示す値が格納される。具体的には、日時に基づいて通知を行う場合、条件種別の項目には「日時」が格納される。位置に基づいて通知を行う場合、条件種別の項目には「位置」が格納される。
【００６７】
第１条件の項目には、予備的な通知を行う条件が格納される。第２条件の項目には、通知を実行する条件が格納される。削除条件の項目には、第１条件の項目に格納された条件が充足された後に、当該のデータを削除するとともに、当該のデータに基づいて待受画面に重畳して表示されたアイコン等を消去する条件が格納されている。条件に基づいて当該のデータを削除することにより、用済みとなったデータを利用者が削除する手間を省略することができる。なお、利用者の操作を契機として当該のデータを削除する場合、削除条件の項目は空欄となる。例えば、同じ条件に基づいて何度も繰り返して通知を行わせたい場合に、削除条件の項目は空欄にされる。
【００６８】
表示文字列の項目には、第２条件の項目に設定された条件が充足された場合に表示すべき文字列が格納される。画像データの項目には、第１条件の項目に設定された条件が充足された場合にアイコンとして表示すべき画像データの名前が格納される。機能の項目には、待受画面に重畳して表示されたアイコンまたは文字列が選択された場合に起動すべき機能を特定するための情報が格納される。パラメータの項目には、機能を起動させる場合に用いられるパラメータが格納される。機能の項目が空欄の場合、待受画面に重畳して表示されたアイコンまたは文字列が選択されると、デフォルトの機能として、表示文字列の項目の値を編集するための機能が起動される。
【００６９】
表示状態の項目には、当該のデータの表示状態を示す値が格納される。具体的には、何も表示する必要がない場合、表示状態の項目には「０」が格納される。待受画面にアイコンのみを表示させる場合、表示状態の項目には「１」が格納される。待受画面にアイコンおよび文字列を表示させる場合、表示状態の項目には「２」が格納される。
【００７０】
図５の例の１行目のデータでは、条件種別の項目に「日時」が格納され、第１条件の項目に「１０分前」が格納され、第２条件の項目に「２０１０／１１／２０  １５：００」が格納され、削除条件の項目に「６０分後」が格納されている。また、同データでは、表示文字列の項目に「鈴木さんへ電話」が格納され、画像データの項目に「ｐｈｏｎｅ．ｉｃｏ」が格納され、機能の項目に「ｐｈｏｎｅ．ｃａｌｌ」が格納され、パラメータの項目に「０９０１２３４５６７８」が格納され、表示状態の項目に「２」が格納されている。
【００７１】
このデータは、図２に示したような通知を実現するための設定データであり、「日時」に基づいて、「２０１０／１１／２０  １５：００」に通知を行い、その「１０分前」に
予備的な通知を行い、その「６０分後」にデータを削除すべきことを示している。また、このデータは、通知のために「鈴木さんへ電話」という文字列を表示させ、予備的な通知のために「ｐｈｏｎｅ．ｉｃｏ」という名前の画像を含むアイコンを表示させるべきであり、現在これらの文字列およびアイコンを表示すべき状態にあることを示している。また、このデータは、文字列またはアイコンが選択された場合に、「０９０１２３４５６７８」という電話番号に対して発信を行う機能を起動すべきことを示している。
【００７２】
また、図５の例の２行目のデータでは、条件種別の項目に「位置」が格納され、第１条件の項目に「５００ｍ以内」が格納され、第２条件の項目に「３５．６７０１３２、１３９．７４４２４５」が格納され、削除条件の項目に「１０００ｍ以遠」が格納されている。また、同データでは、表示文字列の項目に「田中さんへメール」が格納され、画像データの項目に「ｍａｉｌ．ｉｃｏ」が格納され、機能の項目に「ｍａｉｌ．ｓｅｎｄ」が格納され、パラメータの項目に「ｔａｎａｋａ＠ｅｘａｍｐｌｅ．ｃｏｍ」が格納され、表示状態の項目に「０」が格納されている。
【００７３】
このデータは、図３に示したような通知を実現するための設定データであり、「位置」に基づいて、現在位置の緯度・経度が「３５．６７０１３２、１３９．７４４２４５」となった場合に通知を行い、その「５００ｍ以内」になった場合に予備的な通知を行うべきことを示している。また、このデータは、現在位置の緯度・経度が「３５．６７０１３２、１３９．７４４２４５」となった後、そこから「１０００ｍ以遠」となった場合にデータを削除すべきことを示している。また、このデータは、通知のために「田中さんへメール」という文字列を表示させ、予備的な通知のために「ｍａｉｌ．ｉｃｏ」という名前の画像を含むアイコンを表示させるべきであり、現在これらの文字列およびアイコンのいずれも表示すべき状態にないことを示している。また、このデータは、文字列またはアイコンが選択された場合に、「ｔａｎａｋａ＠ｅｘａｍｐｌｅ．ｃｏｍ」というアドレスを送信先としてメールの送信を行う機能を起動すべきことを示している。
【００７４】
また、図５の例の３行目のデータでは、条件種別の項目に「日時」が格納され、第１条件の項目に「３０分前」が格納され、第２条件の項目に「２０１０／１１／２２  １１：００」が格納され、削除条件の項目が空欄となっている。また、同データでは、表示文字列の項目に「打ち合わせ」が格納され、画像データの項目に「ｍｅｅｔｉｎｇ．ｉｃｏ」が格納され、機能の項目と、パラメータの項目とが空欄で、表示状態の項目に「１」が格納されている。
【００７５】
このデータは、「日時」に基づいて、「２０１０／１１／２２  １１：００」に通知を行い、その「３０分前」に予備的な通知を行うべきことを示している。また、このデータは、利用者の操作を契機として当該のデータを削除すべきことを示している。また、このデータは、通知のために「打ち合わせ」という文字列を表示させ、予備的な通知のために「ｍｅｅｔｉｎｇ．ｉｃｏ」という名前の画像を含むアイコンを表示させるべきであり、現在アイコンのみを表示すべき状態にあることを示している。また、このデータは、文字列またはアイコンが選択された場合に、表示文字列を編集するための機能を起動すべきことを示している。
【００７６】
なお、通知データ２４ｃは、例えば、通知プログラム２４ｂが提供する編集画面に対して利用者が行った操作に基づいて、制御部２２によって、追加、更新または削除される。
【００７７】
次に、図６および図７を参照しながら、通知プログラム２４ｂに基づいて制御部２２が実行する処理の処理手順について説明する。図６は、制御部２２による通知処理の処理手順を示すフロー図である。図６に示す通知処理は、制御部２２によって繰り返し実行される。
【００７８】
通知処理において、制御部２２は、ステップＳ１０１として、現在日時を取得し、さらに、ステップＳ１０２として、位置取得部３２から現在位置を取得する。そして、制御部２２は、ステップＳ１０３として、通知データ２４ｃから未取得のデータを１件取得する。未取得のデータを取得できない場合、すなわち、全てのデータを取得済みの場合（ステップＳ１０４，Ｎｏ）、制御部２２は処理を終了する。
【００７９】
未取得のデータを取得できた場合（ステップＳ１０４，Ｙｅｓ）、制御部２２は、ステップＳ１０５として、表示状態の項目の値が「２」であるかを判定する。上述したように、表示状態の項目の値が「２」であるということは、当該データに対応する文字列およびアイコンを表示すべき状態に既になっていることを示す。
【００８０】
表示状態の項目の値が「２」である場合（ステップＳ１０５，Ｙｅｓ）、制御部２２は、ステップＳ１０６として、削除条件の項目に格納されている条件が充足されるかを判定する。そして、条件が充足される場合（ステップＳ１０６，Ｙｅｓ）、制御部２２は、ステップＳ１０７として、通知データ２４ｃから当該データを削除する。条件が充足されない場合（ステップＳ１０６，Ｎｏ）、当該データは削除されない。なお、条件が充足されない場合には、削除条件の項目に条件が格納されていない場合が含まれる。続いて、制御部２２は、ステップＳ１１７以降を実行する。
【００８１】
表示状態の項目の値が「２」でない場合（ステップＳ１０５，Ｎｏ）、制御部２２は、ステップＳ１０８として、第２条件の項目に格納されている条件が充足されるかを判定する。そして、条件が充足される場合（ステップＳ１０８，Ｙｅｓ）、制御部２２は、ステップＳ１０９として、当該データの表示状態の項目の値を「２」へ変更する。
【００８２】
続いて、制御部２２は、ステップＳ１１０として、表示部２に待受画面４０が表示されているかを判定する。表示部２に待受画面４０が表示されていない場合（ステップＳ１１０，Ｎｏ）、制御部２２は、ステップＳ１１１として、報知のために、筐体振動部３４を制御して携帯電話端末１を振動させる。表示部２に待受画面４０が表示されている場合（ステップＳ１１０，Ｙｅｓ）、制御部２２は、携帯電話端末１を振動させない。続いて、制御部２２は、ステップＳ１１７以降を実行する。
【００８３】
第２条件の項目に格納されている条件が充足されない場合（ステップＳ１０８，Ｎｏ）、制御部２２は、ステップＳ１１２として、表示状態の項目の値が「０」であるかを判定する。上述したように、表示状態の項目の値が「０」であるということは、当該データに対応する文字列およびアイコンを表示すべき状態になっていないことを示す。
【００８４】
表示状態の項目の値が「０」でない場合、すなわち、表示状態の項目の値が「１」である場合（ステップＳ１１２，Ｎｏ）、制御部２２は、ステップＳ１１７以降を実行する。表示状態の項目の値が「１」であるということは、当該データに対応するアイコンを表示すべき状態になっていること、すなわち、第２条件の項目に格納されている条件は充足されていないが、第１条件の項目に格納されている条件は充足されていることを示す。
【００８５】
表示状態の項目の値が「０」である場合（ステップＳ１１２，Ｙｅｓ）、制御部２２は、ステップＳ１１３として、第１条件の項目に格納されている条件が充足されるかを判定する。そして、条件が充足される場合（ステップＳ１１３，Ｙｅｓ）、制御部２２は、ステップＳ１１４として、当該データの表示状態の項目の値を「１」へ変更する。
【００８６】
続いて、制御部２２は、ステップＳ１１５として、表示部２に待受画面４０が表示されているかを判定する。表示部２に待受画面４０が表示されていない場合（ステップＳ１１５，Ｎｏ）、制御部２２は、ステップＳ１１６として、報知のために、画像データの項目
に名前が格納されている画像を含むアイコンをピクト領域２ａに表示させる。続いて、制御部２２は、ステップＳ１１７以降を実行する。第１条件の項目に格納されている条件が充足されない場合（ステップＳ１１３，Ｎｏ）、および、表示部２に待受画面４０が表示されている場合も（ステップＳ１１５，Ｙｅｓ）、制御部２２は、ステップＳ１１７以降を実行する。
【００８７】
制御部２２は、ステップＳ１１７として、表示部２に待受画面４０が表示されているかを判定する。表示部２に待受画面４０が表示されている場合（ステップＳ１１７，Ｙｅｓ）、制御部２２は、ステップＳ１１８として、通知データ２４ｃに基づいて待受画面４０の表示を更新する。ステップＳ１０７において通知データ２４ｃからデータが削除された場合、削除されたデータに対応する文字列やアイコンは、この段階で消去される。また、ステップＳ１０９において表示状態の項目の値が「２」へ変更された場合、変更されたデータに対応する文字列およびアイコンは、この段階で、対応づけられた形で、待受画面４０に重畳して表示される。また、ステップＳ１１４において表示状態の項目の値が「１」へ変更された場合、変更されたデータに対応するアイコンは、この段階で、待受画面４０に重畳して表示される。表示部２に待受画面４０が表示されていない場合（ステップＳ１１７，Ｎｏ）、待受画面４０は更新されない。そして、制御部２２は、ステップＳ１０３以降を再実行する。
【００８８】
図７は、制御部２２による機能起動処理の処理手順を示すフロー図である。図７に示す機能起動処理は、待受画面４０に重畳して表示されたアイコンまたは文字列が利用者によって選択されるたびに制御部２２によって実行される。
【００８９】
機能起動処理において、制御部２２は、ステップＳ２０１として、選択されたアイコンまたは文字列に対応するデータを通知データ２４ｃから取得する。そして、制御部２２は、ステップＳ２０２として、取得されたデータの機能の項目に値が設定されているか否か、すなわち、選択されたアイコンまたは文字列に関連づけられた機能があるか否かを判定する。
【００９０】
選択されたアイコンまたは文字列に関連づけられた機能がある場合（ステップＳ２０２，Ｙｅｓ）、制御部２２は、ステップＳ２０３として、その機能を起動させる。そして、制御部２２は、ステップＳ２０４として、選択されたアイコンまたは文字列に対応するデータを通知データ２４ｃから削除する。削除されたデータに対応するアイコンおよび文字列は、図６に示した通知処理によって待受画面４０から消去される。このように、機能を起動させた後にデータを削除することにより、用済みとなったデータを利用者が削除する手間を省略することができる。
【００９１】
選択されたアイコンまたは文字列に関連づけられた機能がない場合（ステップＳ２０２，Ｎｏ）、制御部２２は、ステップＳ２０５として、選択された表示文字列を編集するための編集画面を表示部２に表示させる。
【００９２】
なお、上述した携帯電話端末１の構成は、本発明の要旨を逸脱しない範囲で任意に変更することができる。例えば、通知プログラム２４ｂは、複数のモジュールに分割されていてもよいし、他のプログラムと統合されていてもよい。
【００９３】
また、上記の各実施形態では、機能画面が表示されている場合に、予備的な通知としてアイコンをピクト領域に表示させ、通知として携帯電話端末１を振動させることとしたが、機能画面の視認性等を損なうものでなければどのように通知を行ってもよい。例えば、音や光（ランプの点滅等）を用いて通知、または、予備的な通知を行ってもよい。また、
通知および予備的な通知の両方を、振動を用いて行ってもよい。また、ピクト領域等への表示、振動、音、光等による通知を組み合わせて用いてもよい。
【００９４】
また、上記の各実施形態では、待受画面が表示されている場合に、画面に文字列やアイコンを表示することによって、通知、または、予備的な通知を行うこととしたが、他の方式を併用して通知、または、予備的な通知を行ってもよい。例えば、音や信号を併用することとしてもよい。
【００９５】
また、上記の各実施形態では、待受画面が表示されている場合に、文字列やアイコンに関連づけられた機能を起動させた後に文字列やアイコンを削除することとしたが、関連づけられた機能を起動させた後にも文字列やアイコンが残るようにしてもよい。
【００９６】
また、第１条件の項目に設定された条件が満たされた後に、第１条件の項目に設定された条件が満たされなくなった場合に、待受画面に重畳して表示させた文字列やアイコンを消去することとしてもよい。例えば、指定日時から所定の期間が経過した場合に、待受画面に重畳して表示させた文字列やアイコンを消去することとしてもよい。このように制御することにより、用済みとなったデータを利用者が削除する手間を省略することができる。
【符号の説明】
【００９７】
１  携帯電話端末
２  表示部
２ａ  ピクト領域
１３  操作部
１５  マイク
１６  レシーバ
２２  制御部
２４  記憶部
２４ａ  メールプログラム
２４ｂ  通知プログラム
２４ｃ  通知データ
２６  通信部
３０  音声処理部
３２  位置取得部
３４  筐体振動部
【図１】
0005797530.tif 000002
【図２】
0005797530.tif 000003
【図３】
0005797530.tif 000004
【図４】
0005797530.tif 000005
【図５】
0005797530.tif 000006
【図６】
0005797530.tif 000007
【図７】
0005797530.tif 000008